(57)【要約】【課題】廃リチウムイオン電池等の廃電池を安全に低コストで効率よく運搬又は保管する。【解決手段】廃リチウムイオン電池１０等を、内面全面に絶縁シート５が貼付された積み重ね可能な箱状容器１内に載置し、廃リチウムイオン電池等が載置された箱状容器を積み重ねて運搬又は保管する廃電池の運搬・保管方法。積み重ね可能な箱状容器を用いるため、効率よく運搬することができ、保管スペースも節約することができる。廃リチウムイオン電池等を加圧せずに運搬することができるため、爆発のおそれがなく安全である。箱状容器の内面全面に絶縁シートが貼付されているため、廃リチウムイオン電池等の運搬時の感電を防止することができる。箱状容器は、廃リチウムイオン電池等を収容する箱状部分の四方の壁面２ａ〜２ｄを折り畳み可能とすることができ、四方の壁面及び底面２ｅを金属で格子状に形成することができる。【選択図】図１
2020192512.tif 000002
【特許請求の範囲】
【請求項１】
廃電池を、内面全面に絶縁シートが貼付された積み重ね可能な箱状容器内に載置し、
該廃電池が載置された箱状容器を積み重ねて運搬又は保管することを特徴とする廃電池の運搬・保管方法。
【請求項２】
前記箱状容器は、前記廃電池を収容する箱状部分の四方の壁面を折り畳み可能であることを特徴とする請求項１に記載の廃電池の運搬・保管方法。
【請求項３】
前記箱状容器は、前記廃電池を収容する箱状部分の四方の壁面及び底面が金属で格子状に形成されることを特徴とする請求項１又は２に記載の廃電池の運搬・保管方法。
【発明の詳細な説明】
【技術分野】
【０００１】
本発明は、廃リチウムイオン電池等の廃電池を運搬又は保管する方法に関する。
【背景技術】
【０００２】
リチウムイオン電池は、アルミ箔にリチウム、コバルト、ニッケル等を塗布した正極材、銅箔に黒鉛等を塗布した負極材、電解液、セパレーター等から構成されている。リチウムイオン電池には、アルミニウム、リチウム、コバルト、ニッケル、銅等の有価金属が含まれているため、使用後廃棄されたリチウムイオン電池からこれらを回収することは、資源の乏しいわが国にとって極めて重要である。
【０００３】
しかし、廃リチウムイオン電池は、電解液が灯油と同程度の危険性を有するために危険物扱いであり、残存電圧（１モジュールあたり３０〜２００Ｖ）によって感電のおそれがあり、重量が大きく（１モジュールあたり２〜２５０ｋｇ）、加圧されることで圧壊、短絡し、爆発のおそれもあるため、慎重な運搬、保管が必要となる。
【０００４】
そこで、廃リチウムイオン電池を絶縁性を有するパレットに載置して感電を防止し、パレットの破損によって廃リチウムイオン電池が圧壊、短絡し、爆発しないように平積みで運搬したり、海外製の専用の防火製品で梱包した状態で運搬する方法が用いられる。
【発明の概要】
【発明が解決しようとする課題】
【０００５】
しかし、パレットで運搬する方法では、１パレットに１００ｋｇ程度しか廃リチウムイオン電池を載せることができないため、４ｔトラックで１ｔしか運搬できず、運搬効率が悪いという問題があった。また、保管時にもパレット分の面積を確保する必要があった。
【０００６】
一方、専用の防火製品は高額であり、内容積が小さく、運搬後に容器を空の状態にして運搬元に返却する必要がある。そのため、運搬コスト及び運搬効率の面で改善の余地があり、専用の防火製品を保管に用いることはできなかった。
【０００７】
そこで、本発明は、上記従来の技術における問題点に鑑みてなされたものであって、廃リチウムイオン電池等の廃電池を安全に低コストで効率よく運搬又は保管することを目的とする。
【課題を解決するための手段】
【０００８】
上記目的を達成するため、本発明の廃電池の運搬・保管方法は、廃電池を、内面全面に絶縁シートが貼付された積み重ね可能な箱状容器内に載置し、該廃電池が載置された箱状容器を積み重ねて運搬又は保管することを特徴とする。
【０００９】
本発明によれば、積み重ね可能な箱状容器を用いるため、効率よく運搬することができ、保管スペースも節約することができる。また、廃リチウムイオン電池等の圧壊、短絡を防止しながら運搬することができるため、爆発のおそれがなく安全である。さらに、箱状容器の内面全面に絶縁シートが貼付されているため、廃リチウムイオン電池等の運搬時の感電を防止することができる。
【００１０】
上記廃電池の運搬・保管方法において、前記箱状容器を、前記廃電池を収容する箱状部分の四方の壁面を折り畳み可能とすることで、箱状容器を使用していないときに減容することができ、一度に大量の箱状容器を運搬元に返却することも可能となる。
【００１１】
また、前記廃電池を収容する箱状部分の四方の壁面及び底面を金属で格子状に形成することで、軽量となり操作性が向上する。
【発明の効果】
【００１２】
以上のように、本発明によれば、廃電池を安全に低コストで効率よく運搬又は保管することができる。
【図面の簡単な説明】
【００１３】
【図１】本発明に係る廃電池の運搬・保管方法に用いられる箱状容器の一例を示す一部破断概略斜視図である。
【図２】図１の箱状容器を４段重ね合わせた状態を示す概略断面図である。
【図３】図１の箱状容器をトラックの荷台に積載した状態を示す概略断面図である。
【発明を実施するための形態】
【００１４】
次に、本発明に係る廃電池の運搬・保管方法の一実施の形態について図面を参照しながら詳細に説明する。尚、以下の説明では、廃電池として廃リチウムイオン電池を例示する。
【００１５】
図１は、本発明に係る廃リチウムイオン電池の運搬・保管方法に用いられる箱状容器の一例を示し、この箱状容器１は、廃リチウムイオン電池１０を収容する箱状部２の四方の壁面２ａ〜２ｄ及び底面２ｅが鉄等の金属で格子状に形成され、箱状部２の内面全面に絶縁シート５が貼付される。絶縁シート５の材質は、絶縁性を有するポリエチレン（ＰＥ）等のプラスチック、酸化アルミニウム等の酸化物、ゴムが好ましい。各壁面２ａ〜２ｄの廃リチウムイオン電池１０に触れない上部は、絶縁シート５を貼着せず金属の格子状のままでもよい。尚、同図では、壁面２ｄの一部の記載を省略している。
【００１６】
また、底面２ｅの四隅には、下方に突出部３が設けられ、箱状部２の上方開口の四隅には、凹部（不図示）が設けられる。上方に位置する箱状容器１の突出部３と、下方に位置する箱状容器１の凹部とを係合させることで、上下方向に２つの箱状容器１を積み重ねることができる。底面２ｅに車輪を有するものであってもよく、吊り下げ式でもよい。
【００１７】
箱状容器１の材質は、一般構造圧延鋼（ＳＳ）、ステンレス鋼（ＳＵＳ３０４）、銅合金等の金属合金、ポリプロピレン（ＰＰ）等のプラスチックが好ましいが、機械強度や腐食による強度低下を防ぐ観点からステンレス鋼（ＳＵＳ３０４）がより好ましい。
【００１８】
上記箱状容器１として、市販のメッシュパレットを利用することもできる。例えば、小さいもので、外寸：幅１，０００ｍｍ×奥行８００ｍｍ×高さ４９０ｍｍ（内寸：幅９５０ｍｍ×奥行７６０ｍｍ×高さ３４０ｍｍ）程度、大きいもので、外寸：幅１，２００ｍｍ×奥行１，０００ｍｍ×高さ８９０ｍｍ（内寸：幅１，１５０ｍｍ×奥行９５０ｍｍ×高さ７４０ｍｍ）、耐荷重１，０００ｋｇ程度のものを用い、このようなメッシュパレットの箱状部の内面に天然ゴムシート等を貼付して箱状容器１を構成することもできる。
【００１９】
次に、箱状容器１を用いた廃リチウムイオン電池の運搬・保管方法について説明する。
【００２０】
廃リチウムイオン電池の取扱業者や、自動車等の解体事業者から廃リチウムイオン電池を回収する時点では、廃リチウムイオン電池は形がいびつであり、大きいものは畳１枚分（２５０ｋｇ程度）から、小さいもので１個５ｋｇ程度と様々である。廃リチウムイオン電池の大きさや重量は、メーカーによって大きく異なる。
【００２１】
回収時点では、廃リチウムイオン電池は帯電しており、電池パック同士を重ねることができず、パレットを挟んでもパレットが荷重に耐えられないと、廃リチウムイオン電池が爆発する可能性がある。
【００２２】
そこで、上記箱状容器１の箱状部２に廃リチウムイオン電池１０を収容し、収容した廃リチウムイオン電池１０と箱状部２の上部開口との間にある程度の隙間を設けた状態で、図２に示すように、最大で４段程度まで重ね合わせ、図３に示すように、４ｔウイング車６等の荷台６ａに積層し、廃リチウムイオン電池１０を解体する解体業者まで運搬する。解体業者は、運搬された状態のまま、すなわち箱状容器１の箱状部２に廃リチウムイオン電池１０を収容した状態のまま保管し、廃リチウムイオン電池１０を解体する際に、箱状容器１の箱状部２から廃リチウムイオン電池１０を取り出し、廃リチウムイオン電池１０を解体すると共に、箱状容器１の箱状部２の壁面２ａ〜２ｄを折り畳み、廃リチウムイオン電池の取扱業者等に返却する。壁面２ａ〜２ｄを折り畳むことで平パレットと同様の大きさまで減容することができ、一度に大量の箱状容器１を返却することができる。
【００２３】
解体された廃リチウムイオン電池１０は、その後焙焼業者によって焙焼処理され、焙焼物から最終的にアルミニウム、リチウム、コバルト、ニッケル、銅等の有価金属を回収する。
【００２４】
本発明によれば、積み重ね可能な箱状容器１を用いるため、効率よく運搬することができ、保管スペースも節約することができる。例えば、４段重ね合わせた場合には、平積みの場合に比較して４倍の重量の廃リチウムイオン電池１０を運搬することができると共に、保管スペースも４分の１に低減することができる。また、廃リチウムイオン電池１０を加圧せずに運搬することができるため、爆発のおそれがなく安全である。さらに、箱状容器１の内面全面に絶縁シート５が貼付されているため廃リチウムイオン電池１０の運搬時の感電を防止することができる。
【００２５】
尚、箱状容器１での運搬の対象になる廃リチウムイオン電池は、重ねることで圧壊、短絡のおそれある重量２ｋｇ〜２５０ｋｇのハイブリット自動車や電気自動車等の電動車両用の電源で用いられる車載用や自家用電源等に用いられる定置用である。さらに、リチウムイオン電池のみならず、鉛蓄電池、ニッケル水素電池、ナトリウム硫黄電池等も運搬が可能である。
【００２６】
尚、上記実施の形態においては、箱状容器１の形状は直方体としたが、円筒状等その他の形状とすることができる。
【符号の説明】
【００２７】
１  箱状容器
２  箱状部
２ａ〜２ｄ  壁面
２ｅ  底面
５  絶縁シート
６  ４ｔウイング車
６ａ  荷台
１０  廃リチウムイオン電池
【図１】
2020192512.tif 000003
【図２】
2020192512.tif 000004
【図３】
2020192512.tif 000005